(57)【要約】【課題】服薬記録とともに血圧測定値を自動記憶、同時表示、及び入力出力が可能であり、臨床的に意義ある情報を供給できる薬収納ケース、血圧計測機能付き薬収納ケース及び服薬管理システムを提供する。【解決手段】薬収納ケースでは、担当医が指示した服用タイミング毎に、服用すべき薬を指示するので、薬を間違えることなく、忘れることなく服用でき、また、その服用実績と血圧測定結果値とを、同時に記憶、表示、及び医療機関が一目で同時に把握でき、血圧情報の変化と服用効果が判りやすく、臨床的に有意義な情報を得ることができる。【選択図】      図４
2004181137.tif 000002
【特許請求の範囲】
【請求項１】
使用者が１回に服用する１つ又は複数の薬剤を分割して収納されている薬収納手段と、
外部から入力される服薬の指示を記憶しておく服薬指示記憶手段と、
前記服薬指示記憶手段の服薬指示に基づき、前記薬収納手段で分割して収納されている中から服用する薬を指示する服薬指示手段と、
前記服薬指示手段で服用を指示された薬の取り出しを検知する服薬検知手段と、
前記服薬検知手段で検知した薬の取り出し記録を記憶するとともに、外部へ出力する記憶出力手段と、
前記記憶出力手段で記憶した薬の取り出し記憶を表示する表示手段と、を備える薬収納ケース。
【請求項２】
前記薬収納手段は、使用者が服用するタイミング毎に分割されて収納される蓋を有する複数の小室から構成されており、
前記服薬指示手段は、服用すべき薬が収納されている小室を指示するものであり、
前記服薬検知手段は、小室が有している蓋の開閉を検知することを特徴とする請求項１記載の薬収納ケース。
【請求項３】
前記薬収納手段は、服用する薬が内包されている薬包を１個ずつ保持する、複数のスリットから構成されており、
前記服薬指示手段は、服用すべき薬包が保持されている１つ又は複数のスリットを指示するものであり、
前記服薬検知手段は、薬包がスリットから取り出されたことを検知することを特徴とする請求項１記載の薬収納ケース。
【請求項４】
使用者が１回に服用する１つ又は複数の薬剤を分割して収納されている薬収納手段と、
外部から入力される服薬の指示を記憶しておく服薬指示記憶手段と、
前記服薬指示記憶手段の服薬指示に基づき、前記薬収納手段で分割して収納されている中から服用する薬を指示する服薬指示手段と、
前記服薬指示手段で服用を指示された薬の取り出しを検知する服薬検知手段と、
使用者の血圧を測定する血圧測定手段と、
前記血圧測定手段で測定した血圧値と、前記服薬検知手段で検知した薬の取り出し記録を記憶するとともに、外部へ出力する記憶出力手段と、
前記記憶出力手段で記憶した血圧値と薬の取り出し記録を表示する表示手段と、を備える血圧計測機能付き薬収納ケース。
【請求項５】
前記記録出力手段は、前記血圧測定部で測定した最高血圧値と最低血圧値と脈拍数と血圧測定日時と、前記服薬検知手段で検知した薬の取り出し日時を記憶するとともに、外部へ出力することを特徴とする請求項４に記載の血圧計測機能付き薬収納ケース。
【請求項６】
前記表示手段は、前記記憶手段で記憶した最高血圧値と最低血圧値と脈拍数と血圧測定日時と薬の種類と薬の取り出し日時を、リスト表示またはグラフ表示又はプリンタに表示することを特徴とする請求項４に記載の血圧計測機能付き薬収納ケース。
【請求項７】
使用者が１回に服用する１つ又は複数の薬剤を分割して収納されている薬収納手段と、
外部から入力される服薬の指示を記憶しておく服薬指示記憶手段と、
前記服薬指示記憶手段の服薬指示に基づき、前記薬収納手段で分割して収納されている中から服用する薬を指示する服薬指示手段と、
前記服薬指示手段で服用を指示された薬の取り出しを検知する服薬検知手段と、
使用者の血圧を測定する血圧測定手段と、前記血圧測定手段で測定した血圧値と前記服薬検知手段で検知した薬の取り出し記録を記憶するとともに、外部へ出力する記憶出力手段と、
前記記憶出力手段で記憶した血圧値と薬の取り出し記録を表示する表示手段と、を備える血圧計測機能付き薬収納ケースと、
前記服用指示記憶手段に服用の指示を入力する服薬指示入力手段と、
前記記憶出力手段から出力された記憶情報を記憶表示する外部表示手段と、を備える服薬管理システム。
【請求項８】
前記服薬指示入力手段と前記外部表示手段とは、医療機関に設けられた端末制御器であり、
前記端末制御器と前記血圧計測機能付き服薬管理ケースとを公衆回線を通じて送受信する通信手段を有する請求項７に記載の服薬管理システム。
【請求項９】
使用者の血圧値を測定する血圧測定手段と、前記血圧測定手段で測定した血圧値及び測定日時とを記憶する記憶手段を備える血圧計において、
外部からの服薬情報を受信し記憶する服薬情報記憶手段と、
前記記憶手段で記憶された血圧値及び測定日時とともに、前記服薬情報記憶手段で記憶されている服薬情報とを表示する表示手段と、を更に備える血圧計。
【発明の詳細な説明】
【０００１】
【発明の属する技術分野】
この発明は、薬収納ケース、血圧計測機能付き薬収納ケース及び服薬管理システムに関し、更に言えば、使用者の服薬を検知し、服薬を記憶し、この服薬実績を表示し、外部へ出力することができる薬収納ケース、使用者が測定した血圧値とともに服薬記録を表示し、外部へ出力することができる血圧計測機能付き薬収納ケース、血圧計測機能付き薬収納ケースを用いた服薬管理システム及び血圧計に関する。
【０００２】
【従来の技術】
通院者を傷病別に分類すると４０歳以上では高血圧症が最も多く、また、６５歳以上では半数以上が高血圧であるとも言われている。この国民病とも言うべき高血圧症に対し、病態の解明や治療法の進歩は著しく、特に優れた降圧薬の登場は大きな効果を挙げている。
【０００３】
ところが、この薬物療法の最大の問題点は、患者の服薬不履行による治療失敗である。患者が薬剤を正しく服用しなかっただけでなく、そのことを医師が把握できなかったことにより、降圧療法の失敗事例は後を絶たないのが実態である。
【０００４】
高血圧の患者、特に在宅の患者にとって、服薬遵守は困難である。すなわち、毎日定められた時刻に、決められた種類の薬剤を服用することは、煩雑であり、加えて、自ら測定した血圧値とともに服薬を記録することは不可能に近い。また、担当の医師に正しく報告しない患者が散見している。
【０００５】
このような状況を反映して、自宅で決められた時刻に忘れることなく服薬し、その服薬記録を自動的に保存し、あるいは服薬記録と血圧値とを保存し、これらの情報を担当の医師に報告できるツールやシステムが求められている。
【０００６】
前記のような問題に応えて、従来、いくつかの提案がなされている。
【０００７】
例えば、薬ケース（特許文献１参照）は、薬を収納する複数の収納小室があり、その蓋には服薬すべき日時が記載されている。これにより、薬の飲み忘れや重複服用は防止できる。
【０００８】
また、例えば、投薬管理器及び投薬管理方法（特許文献２参照）は、薬をケースから取り出す毎に、その時間が印刷用紙に印字される。
【０００９】
また、例えば、医用データ処理システム（特許文献３参照）では、透析患者の血圧値と投薬情報が記憶され、印刷される。
【００１０】
また、例えば、自動血圧測定装置（特許文献４参照）では、血圧値とともに、指定された薬剤の情報、すなわち、薬剤の用法、投与目的、注意事項などが表示あるいは出力される。したがって、医師は、服用する薬剤の説明は不要である。
【００１１】
【特許文献１】
特開平７−２３６６８１号公報
【００１２】
【特許文献２】
特開２００１−２０６４６３号公報
【００１３】
【特許文献３】
特公平７−５２４５９号公報
【００１４】
【特許文献４】
登録実用新案第３００４３００号公報
【００１５】
【発明が解決しようとする課題】
上記した特許文献１に記載の薬ケースでは、服薬記録は自動記録されず、表示もなく、服用履行を確認することができない。
【００１６】
また、特許文献２に記載の投薬管理器及び投薬管理方法は、服用した薬の種類を含めた情報を記憶、表示、外部へ出力することはできず、また、服薬不履行の予防には無力である。
【００１７】
また、特許文献３に記載の医用データ処理システムは、血圧値や投薬情報の入力はＯＣＲ装置でのイメージスキャナによる読み取りであり、自動入力ではないため、煩雑であり、また、病院内の透析患者用のシステムのため、在宅での自己測定は不可能であった。
【００１８】
更にまた、特許文献４に記載の自動血圧測定装置では、服薬した実績結果を記録あるいは出力するのではないため、この装置で得られた情報は臨床としては無意味であった。
【００１９】
本発明は、このような問題点に着目してなされたものであって、服薬記録を自動記憶及び表示できるだけでなく、外部からの服薬指示の入力や外部への服薬記録の出力が可能であり、更に、測定した血圧値をも服薬記録とともに同時表示し、外部出力することにより、臨床的に意義のある情報を供給できる薬収納ケース、血圧測定機能付き薬収納ケース、服薬管理システム及び血圧計を提供することを目的とする。
【００２０】
【課題を解決するための手段】
上記の目的を達成するため、本発明の薬収納ケースは、使用者が１回に服用する１つ又は複数の薬剤を分割して収納されている薬収納手段と、外部から入力される服薬の指示を記憶しておく服薬指示記憶手段と、前記服薬指示記憶手段の服薬指示に基づき、前記薬収納手段で分割して収納されている中から服用する薬を指示する服薬指示手段と、前記服薬指示手段で服用を指示された薬の取り出しを検知する服薬検知手段と、前記服薬検知手段で検知した薬の取り出し記録を記憶するとともに、外部へ出力する記憶出力手段と、前記記憶出力手段で記憶した薬の取り出し記憶を表示する表示手段と、を備えている。
【００２１】
上述の薬収納手段は、使用者が服用するタイミング毎に分割されて収納される蓋を有する複数の小室から構成されており、前記服薬指示手段は、服用すべき薬が収納されている小室を指示するものであり、前記服薬検知手段は、小室が有している蓋の開閉を検知することができる。
【００２２】
更に、上述の薬収納手段は、服用する薬が内包されている薬包を１個ずつ保持する、複数のスリットから構成されており、前記服薬指示手段は、服用すべき薬包が保持されている１つ又は複数のスリットを指示するものであり、前記服薬検知手段は、薬包がスリットから取り出されたことを検知することができるようにしても良い。
【００２３】
このようにすれば、医療機関など外部が指示した服用タイミング毎に服用するべき薬を記憶し、タイミング毎に指示するので、薬を間違えることなく忘れることなく服用でき、服薬不履行による治療失敗は改善され、その服薬記録の検知記憶表示は、すべて自動的にできるので、正確な服薬記録が得られる。
【００２４】
また、本発明の血圧計測機能付き薬収納ケースは、上述の薬収納ケースに、使用者の血圧を測定する血圧測定手段を更に備え、前記記憶出力手段は、前記血圧測定手段で測定した血圧値と前記服薬検知手段で検知した薬の取り出し記録を記憶するとともに、外部へ出力する記憶出力手段と、前記記憶出力手段で記憶した血圧値と薬の取り出し記録を表示する表示手段と、を備えている。
【００２５】
上述の血圧計測機能付き薬収納ケースの記憶出力手段は、前記血圧測定部で測定した最高血圧値と最低血圧値と脈拍数と血圧測定日時と、前記服薬検知手段で検知した薬の取り出し日時を記憶するとともに、外部へ出力することができる。
【００２６】
さらに、血圧計測機能付き薬収納ケースの表示手段は、前記記憶手段で記憶した最高血圧値と最低血圧値と脈拍数と血圧測定日時と薬の種類と薬の取り出し日時を、リスト表示またはグラフ表示又はプリンタに表示することもできる。
【００２７】
このようにすれば、高血圧の薬物療法に不可欠な血圧情報と服薬記録が、一目で同時に把握できるので、血圧情報の変化と服薬効果が判りやすく、使用者にとっても服薬遵守が達成されやすい。
【００２８】
また、本発明の血圧計測機能付き服薬管理システムは、上述の血圧計測機能付き薬収納ケースに、前記服薬指示記憶手段に服薬の指示を入力する服薬指示入力手段と、前記記憶出力手段から出力された記憶情報を記憶表示する外部表示手段とを更に備えている。
【００２９】
更に、上述の服薬指示入力手段と、外部表示手段とは、医療機関に設けられた端末制御器であり、前記端末制御器と前記血圧計測機能付き服薬管理ケースとを公衆回線を通じて送受信する通信手段を設けるようにしても良い。
【００３０】
このようにすれば、医療機関の医師などが、血圧情報と正確な服薬記録を同時に入手でき、臨床的な有意義な情報を得られるだけでなく、次なる服薬指示ができ、効果的な薬による降圧療法を実施できる。
【００３１】
また、本発明の血圧計は、従来の血圧計測機能に加え、外部からの服薬の有無、服用した薬の種類、服薬日時などの服薬情報を受信し記憶する服薬情報記憶手段と、血圧値及び測定日時とともに、前記服薬情報記憶手段で記憶された服薬情報とを表示する表示手段とを更に備えている。
【００３２】
このようにすれば、血圧計で日々血圧計測していても、高圧値だけでなく、服薬記録も一目で同時に把握できるので、血圧計の使用者にとっても服薬効果が把握しやすく、日々の血圧計測が推進される。
【００３３】
【発明の実施の形態】
以下、本発明を図示の実施形態に基づいて説明する。
【００３４】
図１は、本発明の薬収納ケースの一実施形態である服薬管理ケース１の外観図である。
【００３５】
この服薬管理ケース１には、薬収納手段として、蓋１２が設けられている複数の小室１１を備えており、この小室１１の中に使用者が１回に服用する１個又は複数の薬剤が収納されている。また、この小室１１の近傍には、服薬指示手段として、服用すべき薬が収納されている小室を指示する服薬指示用ＬＥＤ１３があり、本実施形態では、服用タイミングによって３種の表示形態を有している。すなわち、すでに服薬済みの小室の服薬指示用ＬＥＤ１３１は点灯しているが輝度が暗く、服用すべきタイミングになっている小室の服薬指示用ＬＥＤ１３２は点滅しており、まだ服用すべき日時になっていない小室の服薬指示用ＬＥＤ１３３は点灯していない。
【００３６】
服薬管理ケース１には、ディスプレイ１４が配置されており、現在時刻と服薬状況を表示する。また、服薬管理ケース１の背面１５には、図示していないが、電源スイッチ及び外部との連結用Ｉ／Ｆが設けられている。更に、この連結用Ｉ／Ｆを通じて外部と連結していることを示す外部連結ＬＥＤ１６と、外部へ服薬情報を出力する時に押す外部出力ボタン１７が備えれらている。
【００３７】
図２は、服薬検知手段を説明するための、図１のＡＡ部の断面図で、図２の（ａ）は蓋１２が開けられた状態、図２の（ｂ）は蓋１２が閉じられている状態を各々示している。服薬検知手段として、蓋１２には突起１２１が設けられ、小室１１の、蓋１２の突起１２１部に対応する箇所には小型スイッチ１１１が具備されており、この突起１２１と小型スイッチ１１１により蓋の開閉を検知する。また、蓋１２の端部には、ツメ１０１と突起部１０２が配置されており、蓋１２が閉じられている時（ｂ）は、ツメ１０１がツメ挿入部１０３にひっかかるように勘合されている。蓋１２を開ける時はツメ１０１に一体化している突出部１０２を動かすことにより、ツメ１０１をツメ挿入部１０３から離脱させて、蓋１２を開けることができ、容易に蓋１２が開かないように工夫されている。
【００３８】
更に、好適には、服用タイミングになっている小室の蓋は開けることができ、既に服薬済みの小室の蓋と、まだまだ服用すべき日時になっていない小室の蓋は開閉できないような機構を設けても良い。
【００３９】
図３は、本発明の薬収納ケースの他の実施形態である服薬管理ケース２の外観図である。この実施形態服薬管理ケース２では、本体２１とカバー２２から構成されている。図３のように、服薬管理ケース２の本体２１からカバー２２を取ると、薬収納手段としてスリット２４が配置されており、服用する薬が内包されている薬包２３が１個ずつ複数のスリット２４に保持されている。服薬検知手段として、各々のスリット２４内には薬包の有無を検知する光センサ２５が備えられている。
【００４０】
また、服薬指示手段として、各々のスリット近傍には服薬指示用ＬＥＤ１３が並置されている。この服薬指示用ＬＥＤ１３の点灯とより、前記一実施形態である服薬管理ケースの場合と同様に指示するが、服用すべき薬包が複数の場合は、該当する複数のスリットの服薬指示用ＬＥＤ１３が点灯する。
【００４１】
服薬管理ケース２の本体２１には、現在時刻と服薬状況を表示するディスプレイ１４が配置されており、また服薬管理ケース２の背面１５には、図示していないが、電源スイッチ及び外部との連結用Ｉ／Ｆが設けられている。更に、外部連結ＬＥＤ１６、外部出力ボタン１７が備えられていることは、前記服薬管理ケース１の場合と同じである。
【００４２】
図４は、本発明の血圧計測機能付き薬収納ケースの一実施形態である血圧計付き服薬管理ケース３の外観図である。
【００４３】
血圧計付き服薬管理ケース３は、服薬管理ケース１０と血圧計３１とから構成される。血圧計３１は、電源スイッチ３１１と加圧スイッチ３１２とがあり、カフとも呼ばれる腕帯（図示せず）と連結するチューブ３１３が具備されている。血圧計３１の血圧計測機能については、従来の上腕式血圧計と変わるところがないので説明を省略する。この血圧計付き服薬管理ケース３のディスプレイ３１４は、測定した血圧値が表示されるだけでなく、表示切替スイッチ３１５により、同じ画面に血圧値と服薬記録を表示することができる。表示の内容については後述する。
【００４４】
また、血圧計付き服薬管理ケース３の背面１５には、外部のパソコンと連結するための連結部（図示せず）が設けられている。
【００４５】
服薬管理ケース１０は、上述の服薬管理ケース１とほぼ同じである。ただし、服薬状況などは血圧計付き服薬管理ケース３のディスプレイ３１４に表示するので、服薬管理ケース１０には、表示ディスプレイ１４は設けられていない。
【００４６】
図５は、本発明の血圧計測機能付き薬収納ケースの他の実施形態である血圧計付き服薬管理ケース４の外観図である。
【００４７】
血圧計付き服薬管理ケース４は、服薬管理ケース２０と血圧計４１とから構成され、この服薬管理ケース２０と血圧計４１とは通信ケーブル４０１で連結されている。なお、この服薬管理ケース２０と血圧計４１との連結は、通信ケーブル４０１のような有線に限定されず、例えば赤外線を用いた無線であっても良い。血圧計４１は、背面４１１に前記通信ケーブル４０１の連結のための連結部（図示せず）設けられている。血圧計４１は、電源スイッチ３１１と加圧スイッチ３１２とを備えているが、この血圧計４１の血圧計測機能については、従来の手首式血圧計と変わるところがないので説明を省略する。また、この血圧計４１のディスプレイ３１４は、測定した血圧値が表示されるだけでなく、表示切替スイッチ３１５により、同じ画面に血圧値と服薬記録を表示することができる。
【００４８】
服薬管理ケース２０については、上述の服薬管理ケース２とほぼ同じであるので、説明を省略する。ただし、服薬状況などは血圧計付き服薬管理ケース３のディスプレイ３１４に表示するので、表示ディスプレイ１４は設けられていない。更に、服薬管理ケース２の背面１８には、図示していないが、前記通信ケーブル４０１の連結のための連結部（図示せず）が具備されている。
【００４９】
図６は、本発明の血圧計測機能付き薬収納ケースの一実施形態である血圧計付き服薬管理ケース３の構成を示す機能ブロック図である。
【００５０】
図６を参照して、以下に説明する。血圧計付き服薬管理ケース３が備えている血圧計測機能部６００は、従来の上腕式血圧計の構成と変わるところがないので説明を省略する。この血圧計付き服薬管理ケース３は、ＣＰＵなどから構成され、服薬管理ケースの全体制御を行う制御部６０１と、服用する薬収納する小室１２から構成される薬収納部６０２と、外部から入力された服薬の指示を記憶しておく服薬指示記憶部６０３と、前記薬収納部６０２内に備えられ、前記服薬指示記憶部６０３の服薬指示に基づき服用する薬を指示する服薬指示部６０４と、前記服薬指示手段６０４で服用を指示された薬の取り出しを検知する服薬検知部６０５と、前記服薬検知部６０５で検知した薬の取り出し記録及び各種血圧計測結果を記憶し、外部へ出力する記憶出力部６０６と、各種血圧計測結果とともに、薬の取り出し記録や現在時刻を表示する表示部６０７と、血圧計との連結の有無を示す血圧計連結ＬＥＤ１５と外部との連結を示す外部連結ＬＥＤ１６とから構成される外部連結表示部６０８と、記憶出力部６０６で記憶している薬の取り出し記録を外部へ出力する出力ボタン６０９と、タイマ６１１と、血圧計付き服薬管理ケース３全体の電源である電源部６１２と、外部と連結できるＩ／Ｆ（インターフェース）部６１３と備えている。
【００５１】
図７は、血圧計付き服薬管理ケース３を例にした実際の使用状況を示す模式図であり、図８は、血圧計付き服薬管理ケース３を用いた医療機関でのデータ処理の手順を示すフローチャートである。図７及び図８で以下説明する。
【００５２】
使用者は、血圧計付き服薬管理ケース３を、例えば担当医のいる病院などの医療機関に持参する。医療機関で担当医は使用者から血圧計付き服薬管理ケース３を受け取り、医療機関パソコン７１と連結テーブル７０１で連結し（図８のＳＴ１１）、血圧計付き服薬管理ケース３の外部連結ＬＥＤ１６が点灯していることを確認し、外部出力ボタン１７を押す（ＳＴ１２）。
【００５３】
これにより、血圧計付き服薬管理ケース３の記憶出力部６０６に記憶されていた薬の服用記録及び各種血圧計測結果を医療機関のパソコン７１で閲覧することができる。この実施形態システムは、接続した機器と情報のやり取りを行う一般的な方法であり、図示していないが、サーバを介して行うこともできる。担当医は、閲覧した使用者の服薬記録及び各種血圧計測結果から、今後の服用すべき薬の種類や服薬タイミングを医療機関のパソコン７１で入力する（ＳＴ２３）。これらの情報は、血圧計付き服薬管理ケース３に送信され（ＳＴ２４）、服薬指示記憶部６０３に記憶される（ＳＴ１４）。以上が終了したら医療機関のパソコン７１との連結を解除し（ＳＴ１５）、使用者に血圧計付き服薬管理ケース３を返却する。
【００５４】
使用者は、血圧計付き服薬管理ケース３を医療機関内の薬局あるいは医療機関外の指定薬局に持参する。薬局では前記医療機関の場合と同様に、血圧計付き服薬管理ケース３と薬局のパソコン７２と連結ケーブル７０１で連結し（ＳＴ１６）、服薬指示記憶部６０３に記憶されている服用すべき薬の種類や服薬タイミングを薬局のパソコン７２で閲覧する（ＳＴ１７）。次に、薬局ではこの閲覧した薬の種類や服薬タイミングに従い、血圧計付き服用管理ケース３の薬収納部６０２に指示された薬を収納する（ＳＴ１８）。薬の収納が終わったら薬局のパソコン７２との連結を解除し、使用者に血圧計付き服薬管理ケース３を返却する。
【００５５】
使用者は、血圧計付き服薬管理ケース３を家庭などに持ち帰り、薬を服用する、あるいは血圧を測る。図９は血圧計付き服薬管理ケース３の家庭での使用手順を示すフローチャートである。以下、図９を基に説明する。
【００５６】
最初に、血圧計付き服薬管理ケース３の電源スイッチ３１１を押す（ＳＴ４１）とディスプレイ３１４には、前回の血圧測定値が表示されている（ＳＴ４２）。先ず、薬を服用する場合（ＳＴ４３）は、服用タイミングになっている小室１１の服用指示用ＬＥＤ１３２が点滅しているので、その小室１１の蓋１２を開け（ＳＴ４４）、収納されている薬剤を取り出し、蓋１２を閉める（ＳＴ４５）。この蓋１２の開閉は、服薬検知部６０５で検知され、服薬実績として記憶出力部６０６に記憶される。
【００５７】
次に、今までの服用実績や血圧測定値の変動を確認しない場合（ＳＴ４６）は、電源スイッチ３１１を押して（ＳＴ４７）、電源を切る。
【００５８】
今までの服用実績や血圧測定値の変動を確認する場合（ＳＴ４８）は、表示切替スイッチ３１５を押す（ＳＴ４９）とディスプレイ３１４には、今までの服薬実績とともに、血圧測定値が表示され（ＳＴ５０）、再度表示切替スイッチ３１５を押す（ＳＴ５１）と、ディスプレイ３１４には今までの服薬実績とともに血圧測定値がグラフで表示される（ＳＴ５２）。表示の内容については後述する。表示（ＳＴ５０）を確認したら、最後に電源スイッチ３１１を押して（ＳＴ４７）電源を切る。服薬実績と血圧測定値の表示（ＳＴ５０）だけでグラフ表示（ＳＴ５２）が不要な場合（ＳＴ５３）は、表示（ＳＴ５０）の確認後、電源スイッチ３１１を押して（ＳＴ４７）電源を切れば良い。
【００５９】
次に、血圧を測定する場合（ＳＴ５４）は、カフとも呼ばれる腕帯（図示せず）を装着し、加圧スイッチ３１２を押す（ＳＴ５５）。この血圧測定のステップについては、従来の上腕式血圧計と変わるところがないので説明を省略する。測定が終了すると、従来の血圧計と同様に、ディスプレイ３１４には測定した血圧値が表示される（ＳＴ５６）。
【００６０】
次のステップの今までの服薬実績や血圧測定値の変動を確認しない場合（ＳＴ４６）、又は確認する場合（ＳＴ４８）については、既に述べた通りである。更に、服薬も血圧測定もしない（ＳＴ５７）で、今までの服薬実績や血圧測定値の変動を確認することも可能である（ＳＴ４８）。ＳＴ４８以後のステップについては、すでに述べた通りである。
【００６１】
ディスプレイ３１４に表示される服薬実績と血圧測定値の内容について説明する。
【００６２】
図１０は、血圧計付き服薬管理ケース３のディスプレイ３１４に示される服薬実績と血圧測定値の表示の一例である。
【００６３】
図１０の月日と時刻は、血圧計付き服薬管理ケース３の記憶出力部６０６に記憶されている該当の小室１１の蓋１２を開けた時刻であり、薬名は収納されていた薬剤名が記載されている。この例では、１日３回の服用で、３回の中で朝は２種の薬を飲むことを指示されている。血圧値は、測定した月日と時刻、最高血圧値、最低血圧値、脈拍数が表示される。なお、図１０の表示例では、２月２日の朝は、服薬及び血圧測定が実施されなかったことを示している。
【００６４】
図１１は、血圧計付き服薬管理ケース３のディスプレイ１４に示される服薬実績と血圧測定値のグラフ表示の一例である。このグラフ表示例は、図１０の例をグラフ化したものではなく、１種の薬を１日１回朝食後服用、血圧も１日１回朝食後の測定を指示されている例である。図中の下欄に服薬時刻や血圧測定時刻と月日が表示され、図中の黒丸印が服薬されたことを示し、グラフの棒の上端が最高血圧値、下端が最低血圧値、四角印が脈拍数を各々意味する。また、図１１の表示例では、３月１２日は服薬及び血圧測定が実施されなかったことを示している。
【００６５】
また、説明を省略するが、図１０や図１１のようなディスプレイ３１４での表示をプリントアウトできるようにしても良い。
【００６６】
図１２は、本発明の服薬管理システム５の構成例を示す図である。図１２を参照して、本発明の服薬管理システムにおいて、血圧計付き服薬管理ケース３を用いた場合について説明する。本発明の服薬管理システム５は、血圧計付き服薬管理ケース３と、通信機５０及びネットワーク５１を介して、血圧計付き服薬管理ケース３で得られる服薬実績や血圧測定値などの情報を受信し、蓄積するサーバ５２と、サーバ５２に蓄積されている情報を閲覧し、服薬タイミングの更新や各種の指示を入力するパソコン５３とを含む。
【００６７】
通信機５０は、ネットワーク５１を介してデータの送受信を行う手段を備える機器であって、パソコンや携帯電話などである。通信機５０とサーバ５２とを接続するネットワーク５１は、インターネットであっても良いし、専用回線あるい無線などのその他の通信方法を用いたネットワークであっても良い。医療機関内のサーバ５２とパソコン５３とは、ＬＡＮ（ＬｏｃａｌＡｒｅａＮｅｔｗｏｒｋ）などの専用回線で接続されても良いし、電話回線や無線通信などのその他の接続であっても良い。また、図１２には図示していないが、薬局などのパソコンとも接続し、医療機関内ネットワークを形成すればより好適である。
【００６８】
図１３は、本発明の血圧計の一実施形態である服薬情報を記憶表示することができる服薬情報表示機能付き血圧計８の構成を示す機能ブロック図である。
【００６９】
図１３を参照して、以下に説明する。ＣＰＵなどから構成される制御部、腕帯、圧力センサ、センサ回路、ポンプ、ポンプ駆動回路、排気弁、排気弁駆動回路、タイマ、電源部、操作部などの血圧計測部８０１は、従来の血圧計の構成と変わるところがないので説明を省略する。この服薬情報表示機能付き血圧計８は、服薬情報記憶部８０２を備えており、この服薬情報記憶部８０２は、外部と連結できるＩ／Ｆ（インターフェース）部８０３を介して、外部より、服薬の有無、服用した薬の種類、服薬日時などの服薬情報を受信し記憶することができる。この外部より服薬情報の受信は、インターネットを介しても良いし、専用回線あるいは無線などのその他の通信方法を用いたネットワークであっても良いし、また、すでに述べた服薬管理ケース１、２より専用ケーブル（図示せず）で連結し、服薬情報を得ても良い。
【００７０】
記憶部８０４は、前記血圧計測部８０１で計測した血圧値や測定日時を記憶しておき、液晶などより構成される表示部８０５は、前記血圧計測部８０１で記憶されている血圧値や測定日時だけでなく、前記服薬情報記憶手段で記憶された服薬情報、例えば、服薬の有無、服用した薬の種類、服薬日時を表示することができる。この表示の形態は、図１０、図１１のように、同一の画面に表示しても良いし、図示していないが、プリントアウトできるようにしてプリント紙で表示しても構わないし、あるいは外部へ出力できるように工夫することも可能である。
【００７１】
【発明の効果】
以上説明したように、本発明によれば、医療機関などの担当医が指示した服用タイミング毎に、服用すべき薬を指示するので、薬を間違えることなく忘れることなく服用でき、その服用情報はすべて自動的記憶されるので、正確な服用記録が得られる。
【００７２】
また、本発明によれば、最高血圧値と最低血圧値と脈拍数と血圧測定日時などの血圧測定結果値と服用した薬の種類と薬の服用日時などの服薬実績とを、同時に表示又はグラフ表示あるいはプリンタに表示できるので、高血圧の薬物療法に不可欠な血圧情報と服薬記録が一目で同時に把握でき、血圧情報の変化と服薬効果が判りやすく、臨床的に有意義な情報を得られる。
【００７３】
また、本発明によれば、医療機関などに設けられた情報端末とデータの送受信ができるので、医療機関などの医師などが、血圧情報と請託な服薬記録を随時に入手でき、診断にとって、有用な情報を得られるだけでなく、次なる服薬指示ができ、効果的な薬による降圧療法を実施できる。
【００７４】
また、本発明によれば、最高血圧値、最低血圧値、脈拍数、血圧測定日時などの血圧情報だけでなく、服用の有無、服用した薬の種類、服薬日時などの服薬情報をも容易に把握できるので、血圧値に対する服薬の効果が血圧計の使用者にとって判りやすく、日々の血圧管理や健康管理の有用な情報が得られる。
【図面の簡単な説明】
【図１】本発明の薬収納ケースの一実施形態である服薬管理ケースの外観図である。
【図２】図１におけるＡＡ部の断面図である。
【図３】本発明の薬収納ケースの他の実施形態である服薬管理ケースの外観図である。
【図４】本発明の血圧計測機能付き薬収納ケースの一実施形態である血圧計付き服薬管理ケースの外観図である。
【図５】本発明の血圧計測機能付き薬収納ケースの別の実施形態である血圧計付き服薬管理ケースの外観図である。
【図６】本発明の血圧計測機能付き薬収納ケースの一実施形態である血圧計付き服薬管理ケースの構成を示す機能ブロック図である。
【図７】血圧計付き服薬管理ケースの実際の使用状況を示す模式図である。
【図８】血圧計付き服薬管理ケースの実際の使用状況において、医療機関でのデータ処理の手順を示すフローチャートである。
【図９】血圧計付き服薬管理ケースの実際の使用状況において、家庭での使用手順を示すフローチャートである。
【図１０】血圧計付き服薬管理ケースのディスプレイでの服薬実績と血圧測定値の表示の一例である。
【図１１】血圧計付き服薬管理ケースのディスプレイでの服薬実績と血圧測定値のグラフ表示の一例である。
【図１２】本発明の服薬管理システムの構成例を示す図である。
【図１３】本発明の血圧計の実施形態である服薬情報表示機能付き血圧計の構成を示す機能ブロック図である。
【符号の説明】
１        一実施形態である服薬管理ケース
１０      血圧計付き服薬管理ケース３の服薬管理ケース
１０１    ツメ
１０２    突出部
１０３    ツメ挿入部
１１      小室
１１１    小型スイッチ
１２      蓋
１２１    突起
１３      服薬指示用ＬＥＤ
１４      服薬管理ケースのディスプレイ
１５      服薬管理ケース１の背面
１６      外部連結ＬＥＤ
１７      外部出力ボタン
２        他の実施形態である服薬管理ケース
２１      本体
２２      カバー
２３      薬包
２４      スリット
２５      光センサ
３        一実施形態である血圧計付き服薬管理ケース
３１      血圧計付き服薬管理ケース３の血圧計
３１１    電源スイッチ
３１２    加圧スイッチ
３１３    腕帯と連結するチューブ
３１４    血圧計付き服薬管理ケース３のディスプレイ
３１５    表示切替スイッチ
４        他の実施形態である血圧計付き服薬管理ケース
４１      他の実施形態である血圧計付き服薬管理ケース
４０１    通信ケーブル
４１１    血圧計４１の背面
５        服薬管理システム
５０      通信機
５１      ネットワーク
５２      サーバ
５３      パソコン
６００    血圧計測機能部
６０１    制御部
６０２    薬収納部
６０３    服薬指示記憶部
６０４    服薬指示部
６０５    服薬検知部
６０６    記憶出力部
６０７    表示部
６０８    外部連結表示部
６０９    出力ボタン
６１１    タイマ
６１２    電源部
６１３    Ｉ／Ｆ（インターフェース）部
７１      医療機関のパソコン
７２      薬局のパソコン
７０１    連結テーブル
８        服薬情報表示機能付き血圧計
８０１    血圧計測部
８０２    服薬情報記憶部
８０３    Ｉ／Ｆ（インターフェース）部
８０４    記憶部
８０５    表示部
【図１】
2004181137.tif 000003
【図２】
2004181137.tif 000004
【図３】
2004181137.tif 000005
【図４】
2004181137.tif 000006
【図５】
2004181137.tif 000007
【図６】
2004181137.tif 000008
【図７】
2004181137.tif 000009
【図８】
2004181137.tif 000010
【図９】
2004181137.tif 000011
【図１０】
2004181137.tif 000012
【図１１】
2004181137.tif 000013
【図１２】
2004181137.tif 000014
【図１３】
2004181137.tif 000015